(57)【要約】【課題】画像検査装置の撮像視野域に入ったワークの転がりを抑制し、画像処理による検査時間を早め、検査精度を高めることが可能な画像検査装置を提供する。【解決手段】撮像視野域２０にワークＷを運ぶ搬送手段１０を構成する。撮像視野域２０で透過光を照射しワークＷの輪郭を投影する照明装置３０を構成する。投影されたワークＷの輪郭を上から撮像する上部カメラ４０を配置する。ワークＷの画像を画像処理手段５０で検査する画像処理手段５０を備える。搬送手段１０の載置部１０Ａを透明な平板で形成する。載置部１０Ａの載置面に停止用凹凸１０Ｂを形成する。【選択図】  図１
2020173209.tif 000002
【特許請求の範囲】
【請求項１】
撮像視野域にワークを運ぶ搬送手段と、撮像視野域で搬送手段の下から透過光を照射して搬送手段上にワークの輪郭を投影する照明装置と、搬送手段上に投影されたワークの輪郭を上から撮像する上部カメラと、上部カメラで撮像したワークの画像を処理する画像処理手段とを備え、画像処理手段の画像を基にワークを検査する画像検査装置において、
搬送手段のワーク載置面を透明な平板で形成し、該載置面に、ワークの転がりを抑止すると共に、照明装置から照射された光を透過する停止用凹凸を形成したことを特徴とする画像検査装置。
【請求項２】
前記搬送手段は、透光ガラス板にて構成された回転板体に前記載置部を形成すると共に、前記載置部の表面に前記停止用凹凸を形成し、回転板体が回転すると回転板体上に載置した前記ワークが前記撮像視野域まで搬送されるように構成した請求項１記載の画像検査装置。
【請求項３】
前記搬送手段の前記載置部は、透光ガラス板又は透明なアクリル板にて構成されたトレイ体に前記載置部を形成すると共に、前記載置部の表面に前記停止用凹凸を形成し、トレイ体上に載置した前記ワークをトレイ体ごと前記撮像視野域まで運ぶように構成した請求項１記載の画像検査装置。
【請求項４】
前記画像処理手段は、前記上部カメラで撮像した前記ワークの輪郭画像を処理して表示する検査画面を備え、該検査画面に表示された画像と、予め設定登録された前記ワーク各部の製品データとに基づいて前記ワークの良否を判定する請求項１記載の画像検査装置。
【発明の詳細な説明】
【技術分野】
【０００１】
本発明は、ネジやナットなどの転がり易い製品を画像処理で検査するのに好適な画像検査装置に関する。
【背景技術】
【０００２】
当発明者は、先に特許文献１に記載のねじ類の検査方法を発明している。この検査は、２本のワイヤーから成る搬送具にネジやナット等の検査対象品（以下、ワークと称する）の軸部を挟み、搬送する間に撮影したワークの画像から検査する方法である。特に、ワーク全体の画像を画像処理して検査画面上に表示し、この画像と予め設定登録された製品データとに基づいてワークの良否を判定するので、短時間での検査が可能になり、大量のワークを高速で処理することが可能になっている。
【０００３】
一方、ワークを把持しない状態で検査する検査装置が特許文献２に記載されている。この検査装置では、透光ガラス板で形成された傾斜する搬送路の上をワークが滑り落ちる際に複数のカメラでワークを撮像して複数の画像から検査する装置である。
【０００４】
更に、ワークに照射した光の色や明るさの変化を解析し、ワークの欠陥を判断する検査装置が特許文献３に記載されている。この検査装置には、透明な材料で形成した搬送路上にワークを置き、搬送路の下から光を照射し、ワークの上から撮影手段でワークを撮像して検査する構成が記載されている。
【先行技術文献】
【特許文献】
【０００５】
【特許文献１】特許第６３６０７８２号公報
【特許文献２】特開２０１４-１３９５２５号公報
【特許文献３】国際公開ＷＯ２０１６/１２１８７８号公報
【発明の概要】
【発明が解決しようとする課題】
【０００６】
特許文献１に記載のねじ類の検査方法によると、２本のワイヤーにワークを挟んで搬送することで大量のワークを高速で処理することが可能になっている。ところが、ワークの形状は２本のワイヤーで搬送可能な形状に限られる不都合があった。
【０００７】
また、特許文献２に記載の検査装置では、ガラス板の搬送路に沿ってワークが滑り落ちる際に画像を撮像して検査する構成なので、ワークに対して少なくとも２箇所以上の方向から撮像する必要がある。しかも、滑り落ちるワークを検査する装置なので極めて精密な画像処理装置が要求され、検査装置が高価にならざるを得ない。
【０００８】
一方、特許文献３に記載の検査装置では、移動する透明な移動手段上にワークを載置し、カメラの撮像視野域まで自動搬送したワークを撮影する構成なので、ワークが球や円筒状のように転がり易い形状の場合には、搬送中に移動手段上からワークが転がり落ちる虞がある。
【０００９】
しかも、このような転がり易いワークでは、たとえワークを手作業で運んだとしても、このワークが撮像視野域で転がると、ワークの撮影ができない状態になる。すなわち、透明な平板上に置いたワークを画像処理で検査する際に、撮像視野域で転がるワークが落ち着くまで検査ができなくなると検査時間が遅くなる。しかも、ワークの画像がぶれて検査精度が落ちる虞もある。
【００１０】
特許文献３の検査装置では、搬送時のワークの移動を防止するために、ワークの側面などを保持する保持機構や、エアーによってワークを保持する構成などが提案されている。ところが、このような保持機構やエアーの保持構成では、転がり易いワークを停止させることは極めて困難である。
【００１１】
そこで本発明は上述の課題を解消すべく創出されたもので、ワークの転がりを抑制することで、画像処理による検査時間を早めると共に、検査精度を高めることが可能な画像検査装置の提供を目的とするものである。
【課題を解決するための手段】
【００１２】
上述の目的を達成すべく本発明における第１の手段は、撮像視野域２０にワークＷを運ぶ搬送手段１０と、撮像視野域２０で搬送手段１０の下から透過光を照射して搬送手段１０上にワークＷの輪郭を投影する照明装置３０と、搬送手段１０上に投影されたワークＷの輪郭を上から撮像する上部カメラ４０と、上部カメラ４０で撮像したワークＷの画像を処理する画像処理手段５０と、を備え、画像処理手段５０の画像を基にワークＷを検査する画像検査装置において、ワークＷを載置する搬送手段１０の載置部１０Ａを透明な平板で形成し、該平板の載置面に、ワークＷの転がりを抑止すると共に、照明装置３０から照射された光を透過する停止用凹凸１０Ｂを形成したことにある。
【００１３】
第２の手段の前記搬送手段１０は、透光ガラス板にて構成された回転板体１１に前記載置部１０Ａを形成すると共に、前記載置部１０Ａ表面に前記停止用凹凸１０Ｂを形成し、回転板体１１が回転すると回転板体１１上に載置した前記ワークＷが前記撮像視野域２０まで搬送されるように構成したものである。
【００１４】
第３の手段において、前記搬送手段１０の前記載置部１０Ａは、透光ガラス板又は透明なアクリル板にて構成されたトレイ体１２に前記載置部１０Ａを形成すると共に、前記載置部１０Ａ表面に前記停止用凹凸１０Ｂを形成し、
トレイ体１２上に載置した前記ワークＷをトレイ体１２ごと前記撮像視野域２０まで運ぶように構成している。
【００１５】
第４の手段の前記画像処理手段５０は、前記上部カメラ４０で撮像した前記ワークＳの輪郭画像を処理して表示する検査画面５１を備え、該検査画面５１に表示された画像と、予め設定登録された前記ワークＷ各部の製品データとに基づいて前記ワークＷの良否を判定するものである。
【発明の効果】
【００１６】
本発明の請求項１に記載のごとく、搬送手段１０のワークＷを載置する載置部１０Ａを透明な平板で形成し、該平板の載置面に、ワークＷの転がりを抑止する停止用凹凸１０Ｂを形成したことにより、搬送手段１０上に載置したワークＷの安定性が良好になり、撮像視野域２０に運ばれたワークＷが搬送手段１０上で移動する不都合が解消された。
【００１７】
この結果、検査するワークＷが、球状や円筒形状を成した極めて転がり易い形状であっても、停止用凹凸１０ＢがワークＷの転がりを抑止することができる。この結果、検査可能なワークＷとして、ベアリングのような工業製品からピンポン玉やビー玉のような製品等まで容易に検査することができる。
【００１８】
しかも、この停止用凹凸１０Ｂは、光を透過する凹凸にて形成されているので、照明装置３０から照射された透過光で載置部１０Ａ上にワークＷの輪郭を投影する作業が可能になる。この結果、画像処理手段５０による画像検査が可能になり、画像のぶれも抑止できる。
【００１９】
請求項２のように、搬送手段１０は、透光ガラス板にて構成された回転板体１１に載置部１０Ａを形成すると共に、載置部１０Ａ表面に前記停止用凹凸１０Ｂを形成し、回転板体１１が回転すると、回転板体１１上に載置したワークＷが撮像視野域２０まで搬送されるように構成することで、ワークＷを自動搬送しながら検査することができる。しかも、搬送手段１０は、ワークＷを載せた回転板体１１が回転する構成なので、省スペースでの検査が可能になる。
【００２０】
請求項３のごとく、搬送手段１０の載置部１０Ａは、透光ガラス板又は透明なアクリル板にて構成れたトレイ体１２に載置部１０Ａを構成すると共に、載置部１０Ａ表面に停止用凹凸１０Ｂを形成し、トレイ体１２上に載置したワークＷをトレイ体１２ごと撮像視野域２０まで運ぶように構成することで、ワークＷの数が少ない検査にも対応することができる。
【００２１】
請求項５のように、画像処理手段５０は、上部カメラ４０で撮像したワークＳの輪郭画像を二値化処理して表示する検査画面５１を備え、該検査画面５１に表示された二値化画像と、予め設定登録された前記ワークＷ各部の製品データとに基づいてワークＷの良否を判定するものであるから、ワークＷの形状に応じた検査が瞬時に行えるようになる。この結果、複数本のワークＷを同時に検査することが可能になり、ワークＷの検査時間を格段に早めることができる。
【００２２】
このように本発明によると、ワークＷの転がりを抑制し、画像処理手段５０の検査時間を早めると共に、検査精度を高めることが可能になるなどといった当初の目的を達成した。
【図面の簡単な説明】
【００２３】
【図１】本発明で使用する検査装置の一実施例を示す概略図である。
【図２】本発明の搬送手段の一実施例を示す概略図である。
【図３】本発明の検査画面を示す図である。
【図４】本発明の搬送手段の他の実施例を示す斜視図である。
【図５】本発明のトレイ体による検査状態を示す平面図である。
【図６】（イ）、（ロ）は、球状のワークを検査する状態を示す概略図である。
【図７】（イ）、（ロ）は、円柱状のワークを検査する状態を示す概略図である。
【発明を実施するための形態】
【００２４】
本発明の基本構成は、搬送手段１０、撮像視野域２０、照明装置３０、上部カメラ４０、画像処理手段５０を備えている。そして、搬送手段１０の透明な平板上に載置したワークＷを撮像視野域２０で撮像し、画像処理手段５０で検査する装置である（図１参照）。
【００２５】
すなわち、撮像視野域２０で搬送手段１０の下から透過光を照明装置３０で照射し、搬送手段１０上にワークＷの輪郭を投影する。更に、このワークＷの輪郭を上から上部カメラ４０で撮像し、ワークＷの画像を画像処理手段５０で処理してワークＷを検査するように構成している（図１参照）。
【００２６】
搬送手段１０は、ワークＷを載置して撮像視野域２０まで搬送するように構成したものである。この搬送手段１０において、ワークＷを載置する載置部１０Ａは、透明な平板で形成されている（図１参照）。更に、この載置部１０Ａの載置面に、ワークＷの転がりを防止する停止用凹凸１０Ｂを形成している。この停止用凹凸１０Ｂは、照明装置３０から照射された光を透過するものである。
【００２７】
図２に示す搬送手段１０は、回転する透光ガラス板で回転板体１１を構成し、この透光ガラス板の表面に載置部１０Ａを形成している。そして、回転板体１１が回転すると共に、この回転板体１１上に載置したワークＷが撮像視野域２０まで搬送されるように構成している。透光ガラス板の表面には停止用凹凸１０Ｂを形成しているので搬送されたワークＷは転がり難くなる（図１参照）。尚、回転板体１１上にワークＷを搬送する手段は任意に設定できるものとする。そして、回転板体１１が回転している状態で撮像したワークＷの画像を基にして画像処理手段５０がワークＷを検査する（図３参照）。
【００２８】
この載置部１０Ａに透明な平板ガラスを使用する場合、停止用凹凸１０Ｂとして、例えば、JIS R 3203に規格された型板ガラスの型模様を利用することができる。この型板ガラスとは、厚さ２mm〜６mmの透明な板ガラスの片面に、０．３〜０．５mmの凹凸が形成されたものである。
【００２９】
この型板ガラスを搬送手段１０の載置部１０Ａとして採用し、０．３〜０．５mmの凹凸を停止用凹凸１０Ｂとしたときに、ワークＷの転がり防止と透過光による画像処理手段５０の精度が十分に担保されることが実験で明らかになっている。
【００３０】
また、この回転板体１１を矩形板体（図示せず）に変えることも可能である。そして、この矩形板体が直線移動することでワークＷが撮像視野域２０まで搬送されるように構成することで、数多くのワークＷでも自動搬送することが可能になる。
【００３１】
図４に示す搬送手段１０は、透光ガラス板又は透明なアクリル板でトレイ体１２を構成したものである。そして、このトレイ体１２の載置部１０Ａ上に載置したワークＷを、作業者がトレイ体１２ごと撮像視野域２０まで運ぶように構成している。このトレイ体１２は、撮像視野域２０の上に置いた状態でワークＷが検査される（図５参照）。
【００３２】
透光ガラス板又は透明なアクリル板の載置部１０Ａの表面には、停止用凹凸１０Ｂを形成しているので、撮像視野域２０にトレイ体１２を運び込んでも、載置部１０Ａ上のワークＷの転がりを抑止する（図５参照）。
【００３３】
また、載置部１０Ａに透明なアクリル板等を使用した場合、このアクリル板等の表面に、型板ガラスの型模様と同程度の凹凸を形成して停止用凹凸１０Ｂを形成することが可能である。
【００３４】
照明装置３０は、撮像視野域２０において、搬送手段１０の下方に配置されるＬＥＤライトである（図１参照）。また、上部カメラ４０は、撮像視野域２０で、搬送手段１０上のワークＷを撮像するＣＣＤカメラである。
【００３５】
図示の画像処理手段５０は、撮像視野域２０で撮像したワークＷの輪郭画像を処理して表示する検査画面５１を備えている（図３参照）。更に、この検査画面５１に表示された画像と、予め画像処理手段５０に設定登録されたワークＷの輪郭データとに基づいてワークＷの形状を検査する。
【００３６】
図示例では、たとえば、ワークＷが球状の場合、ワークＷの直径を計測して検査する（図６（イ）参照）。この場合、ワークＷが転がって撮像視野域２０からはみ出てしまうと検査ができなくなる（同図（ロ）参照）。
【００３７】
また、ワークＷが円柱状の場合、ワークＷの全長を計測して検査する場合がある（図７（イ）参照）。この場合も、ワークＷが転がって撮像視野域２０からはみ出てしまうと検査ができなくなる（同図（ロ）参照）。
【００３８】
本発明では、載置部１０Ａに停止用凹凸１０Ｂを形成することで、撮像視野域２０内でのワークＷの転がりを防止して迅速な検査を可能にするものである（図６（イ）、図７（イ）参照）。
【００３９】
尚、本発明の構成は図示例に限定されるものではなく、搬送手段１０の構成や載置部１０Ａの材質、停止用凹凸１０Ｂ等の設計変更は任意に行うことができる。
【符号の説明】
【００４０】
Ｗ  ワーク
１０  搬送手段
１０Ａ  載置部
１０Ｂ  停止用凹凸
１１  回転板体
１２  トレイ体
２０  撮像視野域
３０  照明装置
４０  上部カメラ
５０  画像処理手段
５１  検査画面
【図１】
2020173209.tif 000003
【図２】
2020173209.tif 000004
【図３】
2020173209.tif 000005
【図４】
2020173209.tif 000006
【図５】
2020173209.tif 000007
【図６】
2020173209.tif 000008
【図７】
2020173209.tif 000009
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
撮像視野域にボルトやナット等の円柱形状又は円筒形状を成したワークを運ぶ搬送手段と、撮像視野域で搬送手段の下から透過光を照射して搬送手段上にワークの輪郭を投影する照明装置と、搬送手段上に投影されたワークの輪郭を上から撮像する上部カメラと、上部カメラで撮像したワークの画像を処理する画像処理手段とを備え、画像処理手段の画像を基にワークを検査する画像検査装置において、搬送手段のワークを載置する載置部を型板ガラスで形成し、該型板ガラスの表面に形成されている０．３〜０．５mmの凹凸状の型模様で停止用凹凸が形成され、該停止用凹凸でワークの転がりを抑止することを特徴とする画像検査装置。
【請求項２】
前記搬送手段は、前記型板ガラスにて構成された回転板体に前記載置部を形成すると共に、前記載置部表面に前記型模様による前記停止用凹凸が形成され、回転板体が回転すると前記載置部上に載置した前記ワークが前記撮像視野域まで搬送されるように構成した請求項１記載の画像検査装置。
【請求項３】
前記搬送手段は、前記型板ガラスにて構成されたトレイ体に前記載置部を形成すると共に、前記載置部の表面に前記型模様による前記停止用凹凸が形成され、前記載置部上に載置した前記ワークをトレイ体ごと前記撮像視野域まで運ぶように構成した請求項１記載の画像検査装置。
【請求項４】
前記画像処理手段は、前記上部カメラで撮像した前記ワークの輪郭画像を処理して表示する検査画面を備え、該検査画面に表示された画像と、予め設定登録された前記ワーク各部の製品データとに基づいて前記ワークの良否を判定する請求項１記載の画像検査装置。
【手続補正２】
【補正対象書類名】明細書
【補正対象項目名】００１２
【補正方法】変更
【補正の内容】
【００１２】
上述の目的を達成すべく本発明における第１の手段は、撮像視野域２０にボルトやナット等の円柱形状又は円筒形状を成したワークＷを運ぶ搬送手段１０と、撮像視野域２０で搬送手段１０の下から透過光を照射して搬送手段１０上にワークＷの輪郭を投影する照明装置３０と、搬送手段１０上に投影されたワークＷの輪郭を上から撮像する上部カメラ４０と、上部カメラ４０で撮像したワークＷの画像を処理する画像処理手段５０と、を備え、画像処理手段５０の画像を基にワークＷを検査する画像検査装置において、搬送手段１０のワークＷを載置する載置部１０Ａを型板ガラスで形成し、該型板ガラスの表面に形成されている０．３〜０．５mmの凹凸状の型模様で停止用凹凸１０Ｂを構成し、該停止用凹凸１０ＢでワークＷの転がりを抑止することにある。
【手続補正３】
【補正対象書類名】明細書
【補正対象項目名】００１３
【補正方法】変更
【補正の内容】
【００１３】
第２の手段の前記搬送手段１０は、前記型板ガラスにて構成された回転板体１１に前記載置部１０Ａを形成すると共に、前記載置部１０Ａ表面に前記型模様による前記停止用凹凸１０Ｂが形成され、回転板体１１が回転すると前記載置部１０Ａ上に載置した前記ワークＷが前記撮像視野域２０まで搬送されるように構成したものである。
【手続補正４】
【補正対象書類名】明細書
【補正対象項目名】００１４
【補正方法】変更
【補正の内容】
【００１４】
第３の手段において、前記搬送手段１０は、前記型板ガラスにて構成されたトレイ体１２に前記載置部１０Ａを形成すると共に、前記載置部１０Ａ表面に前記型模様による前記停止用凹凸１０Ｂが形成され、前記載置部１０Ａ上に載置した前記ワークＷをトレイ体１２ごと前記撮像視野域２０まで運ぶように構成している。
【手続補正５】
【補正対象書類名】明細書
【補正対象項目名】００１６
【補正方法】変更
【補正の内容】
【００１６】
本発明の請求項１に記載のごとく、ワークＷを載置する載置部１０Ａを型板ガラスで形成し、該型板ガラスの表面に形成されている０．３〜０．５mmの凹凸状の型模様で停止用凹凸１０Ｂを構成し、該停止用凹凸１０ＢでワークＷの転がりを抑止することにより、搬送手段１０上に載置したボルトやナット等の円柱形状又は円筒形状を成したワークＷの安定性が良好になり、撮像視野域２０に運ばれたワークＷが搬送手段１０上で移動する不都合が解消された。
【手続補正６】
【補正対象書類名】明細書
【補正対象項目名】００１７
【補正方法】変更
【補正の内容】
【００１７】
この結果、検査するワークＷが、ボルトやナット等の円柱形状又は円筒形状を成した極めて転がり易い形状であっても、停止用凹凸１０ＢがワークＷの転がりを抑止することができる。
【手続補正７】
【補正対象書類名】明細書
【補正対象項目名】００１９
【補正方法】変更
【補正の内容】
【００１９】
請求項２のように、前記型板ガラスにて構成された回転板体１１に前記載置部１０Ａを形成すると共に、前記載置部１０Ａ表面に前記型模様による前記停止用凹凸１０Ｂが形成され、回転板体１１が回転すると前記載置部１０Ａ上に載置した前記ワークＷが前記撮像視野域２０まで搬送されるように構成することで、ワークＷを自動搬送しながら検査することができる。しかも、搬送手段１０は、ワークＷを載せた回転板体１１が回転する構成なので、省スペースでの検査が可能になる。
【手続補正８】
【補正対象書類名】明細書
【補正対象項目名】００２０
【補正方法】変更
【補正の内容】
【００２０】
請求項３のごとく、前記搬送手段１０は、前記型板ガラスにて構成されたトレイ体１２に前記載置部１０Ａを形成すると共に、前記載置部１０Ａ表面に前記型模様による前記停止用凹凸１０Ｂが形成され、前記載置部１０Ａ上に載置した前記ワークＷをトレイ体１２ごと前記撮像視野域２０まで運ぶように構成することで、ワークＷの数が少ない検査にも対応することができる。
【手続補正９】
【補正対象書類名】明細書
【補正対象項目名】００２１
【補正方法】変更
【補正の内容】
【００２１】
請求項４のように、画像処理手段５０は、上部カメラ４０で撮像したワークＳの輪郭画像を二値化処理して表示する検査画面５１を備え、該検査画面５１に表示された二値化画像と、予め設定登録された前記ワークＷ各部の製品データとに基づいてワークＷの良否を判定するものであるから、ワークＷの形状に応じた検査が瞬時に行えるようになる。この結果、複数本のワークＷを同時に検査することが可能になり、ワークＷの検査時間を格段に早めることができる。
【手続補正１０】
【補正対象書類名】明細書
【補正対象項目名】００２３
【補正方法】変更
【補正の内容】
【００２３】
【図１】本発明で使用する検査装置の一実施例を示す概略図である。
【図２】本発明の搬送手段の一実施例を示す概略図である。
【図３】本発明の検査画面を示す図である。
【図４】本発明の搬送手段の他の実施例を示す斜視図である。
【図５】本発明のトレイ体による検査状態を示す平面図である。
【図６】（イ）、（ロ）は、球状のワークを検査する状態を示す参考図である。
【図７】（イ）、（ロ）は、円柱状のワークを検査する状態を示す概略図である。
【手続補正１１】
【補正対象書類名】明細書
【補正対象項目名】００３１
【補正方法】変更
【補正の内容】
【００３１】
図４に示す搬送手段１０は、型板ガラスでトレイ体１２を構成したものである。そして、このトレイ体１２の載置部１０Ａ上に載置したワークＷを、作業者がトレイ体１２ごと撮像視野域２０まで運ぶように構成している。このトレイ体１２は、撮像視野域２０の上に置いた状態でワークＷが検査される（図５参照）。
【手続補正１２】
【補正対象書類名】明細書
【補正対象項目名】００３２
【補正方法】変更
【補正の内容】
【００３２】
トレイ体１２の載置部１０Ａの表面には、型板ガラスによる型模様の停止用凹凸１０Ｂが形成されているので、撮像視野域２０にトレイ体１２を運び込んでも、載置部１０Ａ上のワークＷの転がりを抑止する（図５参照）。
【手続補正１３】
【補正対象書類名】明細書
【補正対象項目名】００３３
【補正方法】削除
【補正の内容】
【手続補正書】
【提出日】令和1年10月31日(2019.10.31)
【手続補正１】
【補正対象書類名】特許請求の範囲
【補正対象項目名】請求項１
【補正方法】変更
【補正の内容】
【請求項１】
撮像視野域にネジやナットなどの転がり易いワークを運ぶ搬送手段と、撮像視野域で搬送手段の下から透過光を照射して搬送手段上にワークの輪郭を投影する照明装置と、搬送手段上に投影されたワークの輪郭を上から撮像する上部カメラと、上部カメラで撮像したワークの画像を処理する画像処理手段とを備え、画像処理手段の画像を基にワークを検査する画像検査装置において、搬送手段のワークを載置する載置部を型板ガラスで形成し、該型板ガラスの表面に形成されている０．３〜０．５mmの凹凸状の型模様で停止用凹凸が形成され、該停止用凹凸でワークの転がりを抑止することを特徴とする画像検査装置。
【手続補正２】
【補正対象書類名】明細書
【補正対象項目名】００１７
【補正方法】変更
【補正の内容】
【００１７】
この結果、検査するワークＷが、ネジやナットなどの極めて転がり易い形状であっても、停止用凹凸１０ＢがワークＷの転がりを抑止することができる。